(57)【特許請求の範囲】
【請求項１】
壁面に形成された換気口を覆う換気端末部品であって、
前記換気口に連通する開口が形成されて、前記壁面に対向する板状形状を呈する壁面対向部と、
前記壁面対向部のうち前記壁面の反対面側を、下方を通風口として開放させて覆うカバーと、
前記通風口よりも下方であって前記壁面対向部の下部に設けられて、下方に向かうにしたがって前記壁面から離れる傾斜面を有する水切板と、
を備え、
前記水切板は、横幅方向における中央に位置する中央部と、前記中央部の両側に位置する回避部と、前記回避部を挟んで前記中央部の反対側に位置する端部とを有して構成され、
前記回避部の先端と前記壁面対向部との距離は、前記中央部および前記端部での先端と前記壁面対向部との距離よりも小さいことを特徴とする換気端末部品。
【請求項２】
前記回避部の傾斜面は、前記中央部および前記端部の傾斜面よりも傾斜が緩やかであることを特徴とする請求項１に記載の換気端末部品。
【請求項３】
前記回避部と前記中央部との間、および前記回避部と前記端部との間は、前記中央部、前記回避部および前記端部の傾斜面よりも傾斜が急な急斜面部で連結されていることを特徴とする請求項２に記載の換気端末部品。
【請求項４】
前記水切板は、絞り加工により形成されることを特徴とする請求項３に記載の換気端末部品。
【請求項５】
壁面に形成された換気口を覆う換気端末部品であって、
前記換気口に連通する開口が形成されて、前記壁面に対向する板状形状を呈する壁面対向部と、
前記壁面対向部のうち前記壁面の反対面側を、下方を通風口として開放させて覆うカバーと、
前記通風口よりも下方であって前記壁面対向部の下部に設けられて、下方に向かうにしたがって前記壁面から離れる傾斜面を有する水切板と、
を備え、
前記水切板は、幅方向における中央に位置する中央部と、前記中央部の両側に位置する回避部と、前記回避部を挟んで前記中央部の反対側に位置する端部とを有して構成され、
前記回避部には、スリットが形成されることを特徴とする換気端末部品。
【請求項６】
前記水切板は、樹脂で形成されることを特徴とする請求項１から３、または５のいずれか１つに記載の換気端末部品。
【発明の詳細な説明】
【技術分野】
【０００１】
本発明は、壁面に形成された換気口に取り付けられる換気端末部品に関する。
【背景技術】
【０００２】
家屋の壁面には、家屋内への空気の取り込み、または家屋内の空気の排出を行うために、換気口が形成されている。換気口の屋内側には、屋内に向けて延びる換気ダクト、または換気装置が接続されている。また、換気口の屋外側には、屋内への雨水および小動物の侵入を抑制する目的で、特許文献１に示すような換気端末部品が取り付けられる。
【先行技術文献】
【特許文献】
【０００３】
【特許文献１】特開平１１−２８１１１２号公報
【発明の概要】
【発明が解決しようとする課題】
【０００４】
換気端末部品は、壁面に形成された換気口に連通する開口が形成されて、壁面に対向する板状形状を呈する壁面対向部と、壁面対向部のうち壁面の反対面側を、下方を通風口として開放させて覆うカバーと、を備えて構成されることが一般的である。また、換気端末部品には、カバーの側方部に沿って流れる雨水、および換気ダクト内での結露によって発生した結露水が、壁面を伝って流れることで壁面を汚すことを防ぐ目的で、通風口よりも下方に水切板が設けられる。水切板は、壁面対向部の下部に設けられて、下方に向かうにしたがって壁面から離れる傾斜面を有している。そのため、水切板が通風口の実質的な開口面積を減少させて、圧力損失の増加を招く場合があった。
【０００５】
本発明は、上記に鑑みてなされたものであって、水切板による圧力損失の増加を抑えた換気端末部品を得ることを目的とする。
【課題を解決するための手段】
【０００６】
上述した課題を解決し、目的を達成するために、本発明は、壁面に形成された換気口を覆う換気端末部品であって、換気口に連通する開口が形成されて、壁面に対向する板状形状を呈する壁面対向部と、壁面対向部のうち壁面の反対面側を、下方を通風口として開放させて覆うカバーと、通風口よりも下方であって壁面対向部の下部に設けられて、下方に向かうにしたがって壁面から離れる傾斜面を有する水切板と、を備え、水切板は、横幅方向における中央に位置する中央部と、中央部の両側に位置する回避部と、回避部を挟んで中央部の反対側に位置する端部とを有して構成され、回避部の先端と壁面対向部との距離は、中央部および端部での先端と壁面対向部との距離よりも小さいことを特徴とする。
【発明の効果】
【０００７】
本発明にかかる換気端末部品によれば、水切板による圧力損失の増加を抑えることができるという効果を奏する。
【図面の簡単な説明】
【０００８】
【図１】本発明の実施の形態１にかかる換気端末部品の正面図
【図２】実施の形態１にかかる換気端末部品の側面断面図であって、壁面に取り付けた状態を示す図
【図３】実施の形態１にかかる換気端末部品の側面断面図であって、図２に示すＡ部分を拡大した部分拡大断面図
【図４】実施の形態１における水切板の斜視図
【図５】実施の形態１における水切板の正面図
【図６】実施の形態１における水切板の断面図であって、図５に示すＣ−Ｃ線に沿って見た矢視断面図
【図７】実施の形態１における水切板の断面図であって、図５に示すＤ−Ｄ線に沿って見た矢視断面図
【図８】実施の形態１におけるガラリの斜視図
【図９】図８に示すＥ−Ｅ線に沿って見た矢視断面図
【図１０】実施の形態１におけるガラリの取り付け方法を説明する図
【図１１】図２に示すＢ部分を拡大した部分拡大断面図
【図１２】実施の形態１にかかる換気端末部品の通風口部分での圧力分布を示す図
【図１３】比較例にかかる換気端末部品の通風口部分での圧力分布を示す図
【図１４】実施の形態１にかかる換気端末部品の差し込み部に防火ダンパーを設けた例を示す図
【図１５】実施の形態１にかかる換気端末部品において、ガラリに代えて防虫網を適用した例を示す図
【図１６】実施の形態１の変形例にかかる水切板の斜視図
【発明を実施するための形態】
【０００９】
以下に、本発明の実施の形態にかかる換気端末部品を図面に基づいて詳細に説明する。なお、この実施の形態によりこの発明が限定されるものではない。
【００１０】
実施の形態１．
図１は、本発明の実施の形態１にかかる換気端末部品の正面図である。図２は、実施の形態１にかかる換気端末部品の側面断面図であって、壁面に取り付けた状態を示す図である。
【００１１】
壁面２に形成された換気口２ａには、屋内側から延びる換気ダクト３が差し込まれている。換気ダクト３は、換気口２ａに差し込まれた一端の反対側となる他端に、例えば換気装置が接続されている。換気端末部品１は、家屋の壁面２に形成された換気口２ａに、屋外側から嵌め込まれて用いられる。換気ダクト３、換気口２ａおよび換気端末部品１を通して、屋内の空気が屋外に排出される、または屋外の空気が屋内に取り込まれる。
【００１２】
換気端末部品１は、換気口２ａに連通する開口１１ａが形成されたベースプレート１１を備える。ベースプレート１１は、壁面２に対向する板状形状を呈する壁面対向部である。なお、以下の説明において、ベースプレート１１に対して壁面２側を裏面側とし、その反対面側を表面側とする。
【００１３】
ベースプレート１１の開口１１ａ部分には、裏面から突出されて、換気口２ａまたは換気ダクト３に差し込まれる差し込み部１１ｂが形成される。差し込み部１１ｂは、換気口２ａまたは換気ダクト３の形状に合わせた形状で形成され、一般的には円筒形状で形成される。差し込み部１１ｂの外周には、換気口２ａまたは換気ダクト３からの抜け落ちを防ぐための抜け止め金具１１ｃが形成されている。
【００１４】
換気端末部品１は、ベースプレート１１の表面側を覆うカバー１２を備える。カバー１２は、下方を通風口１２ａとして開放させる。通風口１２ａは、換気口２ａよりも下方となる位置に設けられる。この通風口１２ａを通して、屋内の空気が屋外に排出される、または屋外の空気が屋内に取り込まれる。カバー１２は、ベースプレート１１に対して、リベットで固定される。
【００１５】
通風口１２ａを形成するカバー１２の下端は、ベースプレート１１から離れた先端に向かって低くなるように形成されている。これにより、カバー１２に降りかかった雨水が、カバー１２の下端に到達すると、先端に誘導されて、壁面２から離れた位置から落下しやすくなる。
【００１６】
通風口１２ａには、ガラリ１４が取り付けられている。ガラリ１４は、通風口１２ａと同様に、ベースプレート１１から離れた先端側が低くなるように取り付けられている。これにより、ガラリ１４に付着した水は、先端に誘導されて、壁面２から離れた位置から落下しやすくなる。また、ガラリ１４に水が留まりにくくなるため、屋内に吸い込まれる空気に巻き込まれて、水が屋内に侵入することを抑えることができる。
【００１７】
通風口１２ａよりも下方であってベースプレート１１の下部には、水切板１３が設けられる。水切板１３には、通風口１２ａに向けた傾斜面１３ａが形成されている。傾斜面１３ａは、下方に向かうにしたがって壁面２から離れるように傾斜する。
【００１８】
次に、換気端末部品１の水切板１３周辺の詳細な構造について説明する。図３は、実施の形態１にかかる換気端末部品１の側面断面図であって、図２に示すＡ部分を拡大した部分拡大断面図である。なお、図２では、ガラリ１４およびカバー１２の図示を省略している。
【００１９】
図３に示すように、ベースプレート１１は、上方対向部２１と、上方対向部２１の下方に設けられる下方対向部２２とに分割されている。図３には示されていないが、開口１１ａと差し込み部１１ｂは、上方対向部２１に形成されている。
【００２０】
下方対向部２２は、その上部が上方対向部２１の裏面側に差し込まれている。下方対向部２２と上方対向部２１は、リベットにて結合されている。また、下方対向部２２のうち、上方対向部２１の下方に露出している部分に、水切板１３が形成される。この構成によって、ベースプレート１１の表面を流れ落ちる水は、ベースプレート１１の裏面に流れずに、水切板１３の傾斜面１３ａ上に流れやすくなっている。
【００２１】
次に、下方対向部２２を含めた水切板１３の詳細な構成について説明する。図４は、実施の形態１における水切板１３の斜視図である。図５は、実施の形態１における水切板１３の正面図である。
【００２２】
水切板１３は、カバー１２よりも大きな横幅で形成されている（図１も参照）。水切板１３は、横幅方向における中央に位置する中央部１３１と、中央部１３１の両側に位置する回避部１３２と、回避部１３２を挟んで中央部１３１の反対側に位置する端部１３３とを有する。
【００２３】
図６は、実施の形態１における水切板１３の断面図であって、図５に示すＣ−Ｃ線に沿って見た矢視断面図である。図７は、実施の形態１における水切板１３の断面図であって、図５に示すＤ−Ｄ線に沿って見た矢視断面図である。図６では中央部１３１の断面が示され、図７では回避部１３２の断面が示されている。
【００２４】
図６，７に示すように、中央部１３１の先端とベースプレート１１との水平方向の距離（前後距離）Ｘ１よりも、回避部１３２の先端とベースプレート１１との水平方向の距離（前後距離）Ｘ２のほうが小さくなっている。断面での図示は省略するが、端部１３３の先端とベースプレート１１との水平方向の距離よりも、回避部１３２の先端とベースプレート１１との水平方向の距離のほうが小さくなっている。また、回避部１３２部分での傾斜面１３ａの傾斜は、中央部１３１部分および端部１３３部分での傾斜面１３ａの傾斜よりも緩やかになっている。
【００２５】
また、中央部１３１と回避部１３２との間、および回避部１３２と端部１３３との間は、中央部１３１、回避部１３２および端部１３３の傾斜面１３ａよりも傾斜が急な急斜面部１３４で連結されている。このような形状の水切板１３は、金属板の絞り加工によって形成されてもよいし、樹脂成型によって形成されてもよい。
【００２６】
下方対向部２２には、後述するガラリ１４に形成された挿入片が挿入される挿入穴１５が形成されている。挿入孔１５は、正面視において中央部１３１の上方を避けた位置、より具体的には、回避部１３２の上方となる位置に形成される。挿入孔１５は、上部のほうが横幅が広く、下部のほうが横幅が狭くなっている。
【００２７】
下方対向部２２の表面側には、挿入孔１５同士の間、より具体的には、中央部１３１の上方に、上下に延びる溝１６が形成されている。溝１６は、下方対向部２２の上端から、下方対向部２２が上方対向部２１の裏面側に差し込まれた状態で上方対向部２１の下方に露出する部分にわたって形成されている。
【００２８】
水切板１３の側方端部には、上方に突出する横流れ防止部１３５が形成されている。横流れ防止部１３５によって、水切板１３上に流れた水が側方に流れ落ちて壁面２を汚すことを抑えることができる。
【００２９】
次に、ガラリ１４の構成について説明する。図８は、実施の形態１におけるガラリ１４の斜視図である。図９は、図８に示すＥ−Ｅ線に沿って見た矢視断面図である。
【００３０】
ガラリ１４は、通風口１２ａの内周に沿った環状形状を呈して、通風口１２ａに嵌め込まれる環状部１４１を有する。環状部１４１には、下方対向部２２に形成された挿入孔１５に対向する位置に、下方対向部２２に向けて突出する挿入片１４２が形成されている。挿入片１４２は、根元部の幅が挿入穴１５の下部の幅よりも狭く形成され、先端部の幅が挿入穴１５の上部の幅より狭く挿入穴１５の下部の幅よりも広く形成されている。
【００３１】
図９に示すように、ガラリ１４の環状部１４１のうち、カバー１２に当接する外周縁部分には、折り曲げられて下方に延びる誘引部１４３が形成されている。図２に示すように、下方に折り曲げられているものの、誘引部１４３はカバー１２よりも下方に突出しない。誘引部１４３を下方に風の流れる方向と同じ方向に曲げることで風の流れの抵抗が減り、圧力損失の増加を抑えることができる。また、ガラリ１４は、環状部１４１の内側を複数の通気口に分割する複数のブレード１４４が形成されている。ブレード１４４は、環状部１４１と一体に形成されていてもよいし、別体で設けられていてもよい。
【００３２】
次に、ガラリ１４の取り付け方法について説明する。図１０は、実施の形態１におけるガラリ１４の取り付け方法を説明する図である。図１１は、図２に示すＢ部分を拡大した部分拡大断面図である。まず、ガラリ１４は、環状部１４１に形成された挿入片１４２が、下方対向部２２に形成された挿入穴１５に差し込まれる（図４，５，８も参照）。この際、挿入片１４２は、挿入穴１５の上部を通して根元まで挿入され、その後、下方に押し下げられる。これにより、挿入片１４２の根元部が挿入穴１５の下部に嵌り、挿入片１４２の先端が引っ掛かることで、ガラリ１４の抜け落ちが防がれる。また、ガラリ１４のうち下方対向部２２の反対側となる部分では、図１１に示すように、ねじ１８を用いてガラリ１４がカバー１２に固定される。具体的には、カバー１２の内側に設けられたガラリ固定片１７に形成されたねじ穴１７ａに対して、ねじ１８がねじ込まれている。
【００３３】
以上説明した換気端末部品１によれば、水切板１３による通風口１２ａ部分での圧力損失の増加、およびガラリ１４の環状部１４１による通風口１２ａ部分での圧力損失の増加を抑えることができる。図１２は、実施の形態１にかかる換気端末部品１の通風口１２ａ部分での圧力分布を示す図である。図１３は、比較例にかかる換気端末部品２００の通風口２１２ａ部分での圧力分布を示す図である。
【００３４】
比較例にかかる換気端末部品２００では、水切板に回避部が設けられておらず、横幅全体で均一な前後幅を有している。そのため、図１３に示すように、水切板が通風口２１２ａの実質的な開口面積を減少させてしまい、水切板部分で圧力損失が高くなっている。
【００３５】
一方、本実施の形態１にかかる換気端末部品１では、比較例で圧力損失が高くなっている部分に、前後幅の小さい回避部１３２を設けて、通風口１２ａの実質的な開口面積の減少を抑えているため、水切板１３部分での圧力損失の増加を抑えることができている。
【００３６】
また、ガラリ１４の環状部１４１のうち、カバー１２に当接する外周縁部分に誘引部１４３を設けることで、ガラリ１４の縁部分での気流の停滞域が減少する。これにより、比較例に見られるようなカバー１２の内側部分での圧力損失の増加を抑えることができている。また、環状部１４１がカバー１２よりも下方に突出していないので、換気端末部品１の取扱い性およびメンテナンス性の向上を図ることができる。
【００３７】
また、換気ダクト３内で発生し、ベースプレート１１と差し込み部１１ｂとの隙間から漏れて、ベースプレート１１と壁面２との間に侵入した結露水を、下方対向部２２に形成された溝１６と上方対向部２１との間から、ベースプレート１１に表面側に排出して、水切板１３の中央部１３１上に誘導することができる。すなわち、溝１６と上方対向部２１とに囲まれた領域が、ベースプレート１１の裏面側から表面側に水を排出させる水抜き穴として機能する。また、中央部１３１は、換気ダクト３内で発生した結露水を、壁面２から離間するように誘導するドレン水誘導部として機能する。これにより、結露水によって発生する壁面２の汚れを抑えることができる。
【００３８】
ここで、ベースプレート１１と差し込み部１１ｂとの隙間から漏れた水は、換気端末部品１の横幅方向における中央部分を流れ落ちることとなる。本実施の形態１では、溝１６が中央部１３１の上方に形成されることで、中央部分を流れ落ちてくる水を、より確実にベースプレート１１の表面側に排出させることが可能となる。
【００３９】
また、ベースプレート１１の裏面側から表面側に水を排出するための水抜き穴である溝１６が、挿入穴１５とは別に形成されているので、ベースプレート１１の裏面側を流れる水が、挿入穴１５に挿入された挿入片１４２と接触しにくくなっている。これにより、挿入片１４２の腐食を抑えることができる。また、ガラリ１４が先端のほうが低くなるように取り付けられることで、挿入片１４２にも傾斜が設けられることとなり、挿入片１４２上の水が先端に向けて流れやすくなっている。したがって、挿入片１４２の腐食をより一層抑えることができる。
【００４０】
また、カバー１２および壁面２に降りかかって、カバー１２の側部に沿って流れ落ちる雨水は、水切板１３の端部１３３に受けられて、端部１３３の傾斜面１３ａ上を流れる。すなわち、端部１３３は、カバー１２の側部に沿って流れ落ちる雨水を、壁面２から離間するように誘導する雨水誘導部として機能する。これにより、雨水によって発生する壁面２の汚れを抑えることができる。
【００４１】
また、何らかの理由で回避部１３２上に付着した水は、急斜面部１３４上を伝わって、中央部１３１または端部１３３に誘導されやすくなっている。中央部１３１または端部１３３の先端から水を落下させることで、回避部１３２の先端から落下させるよりも、壁面２から離れた位置から水を落下させることができる。これにより、落下する水が風などによって壁面２に付着しにくくなり、壁面２に発生する汚れが抑えられる。
【００４２】
図１４は、実施の形態１にかかる換気端末部品１の差し込み部１１ｂに防火ダンパー１９を設けた例を示す図である。防火ダンパー１９を設けることで、防火対策を行うことができる。防火ダンパー１９は、シャフト２４で支持された半円のダンパー板２５を２枚有する。また、防火ダンパー１９は、ダンパー板２５を開く方向に付勢するスプリング２６を有する。また、ダンパー板２５の先端には所定温度にて融解される温度ヒューズ２７が装着されている。この温度ヒューズ２７が２枚のダンパー板２５を閉じるように保持している。火災発生時には、温度ヒューズ２７の溶解分断にてスプリング２６の力で回転してダンパー板２５が開く。これにより、換気口２ａが閉鎖され、火災による炎および煙の屋外への進行が阻止される。
【００４３】
図１５は、実施の形態１にかかる換気端末部品１において、ガラリに代えて防虫網２０を適用した例を示す図である。図１５に示すように、ガラリに代えて防虫網２０を用いてもよい。これにより、ガラリでは侵入可能な虫等の屋内への侵入を防ぐことが可能となる。
【００４４】
図１６は、実施の形態１の変形例にかかる水切板１３の斜視図である。変形例にかかる水切板１３では、回避部１３２に複数のスリット２３を形成することで、通風口１２ａの実質的な開口面積の減少を抑えて、圧力損失の増加を抑えている。
【００４５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４６】
１  換気端末部品、２  壁面、２ａ  換気口、３  換気ダクト、１１  ベースプレート（壁面対向部）、１１ａ  開口、１１ｂ  差し込み部、１１ｃ  抜け止め金具、１２  カバー、１２ａ  通風口、１３  水切板、１３ａ  傾斜面、１４  ガラリ、１５  挿入穴、１６  溝、１７  ガラリ固定片、１７ａ  ねじ穴、１８  ねじ、１９  防火ダンパー、２０  防虫網、２１  上方対向部、２２  下方対向部、２３  スリット、２４  シャフト、２５  ダンパー板、２６  スプリング、２７  温度ヒューズ、１３１  中央部、１３２  回避部、１３３  端部、１３４  急斜面部、１３５  横流れ防止部、１４１  環状部、１４２  挿入片、１４３  誘引部、１４４  ブレード。
【図１】
0006478706.tif 000002
【図２】
0006478706.tif 000003
【図３】
0006478706.tif 000004
【図４】
0006478706.tif 000005
【図５】
0006478706.tif 000006
【図６】
0006478706.tif 000007
【図７】
0006478706.tif 000008
【図８】
0006478706.tif 000009
【図９】
0006478706.tif 000010
【図１０】
0006478706.tif 000011
【図１１】
0006478706.tif 000012
【図１２】
0006478706.tif 000013
【図１３】
0006478706.tif 000014
【図１４】
0006478706.tif 000015
【図１５】
0006478706.tif 000016
【図１６】
0006478706.tif 000017